(57)【要約】  ワイヤレス通信のスモールセル(たとえば、フェムトセル)は、カバレージエリア内のパイロットセル汚染をもたらす複数のスモールセルの1組のワイヤレス信号測定値を決定することができる。スモールセルは、パイロットセル汚染を低減するためのスモールセルの送信パラメータの調整を決定し、スモールセルに調整を送信することができる。調整は、たとえば、閾値未満の信号電力差を有する少なくとも2つのスモールセル間の重なりのエリアを最小にすること、少なくとも2つのスモールセルに関連付けられた位置における信号対干渉および雑音比を最大にすること、閾値信号レベル内の少なくとも2つのパイロット信号に関連付けられたエリアを最小にすること、1組の測定値に基づいてトラフィック負荷をスモールセルのうちの少なくとも2つに分配すること、または、経路をカバーするスモールセルの数を最小にすることを含み得る。
2015534358.tif 000002
【特許請求の範囲】
【請求項１】
ワイヤレス通信ネットワークのスモールセルによって、複数のスモールセルの1組のワイヤレス信号測定値を決定するステップと、
前記測定値に基づいて前記複数のスモールセルのカバレージエリア内のパイロットセル汚染を検出するステップと、
前記パイロットセル汚染を低減するために、前記複数のスモールセルのうちの少なくとも1つの少なくとも1つの送信パラメータの調整を決定するステップと、
前記複数のスモールセルのうちの前記少なくとも1つに前記調整を送信するステップと
を含む方法。
【請求項２】
前記調整を決定する前記ステップが、前記1組の測定値に基づいて閾値未満の信号電力差を有する少なくとも2つのスモールセル間の重なりのエリアを最小にするステップを含む、請求項1に記載の方法。
【請求項３】
前記調整を決定する前記ステップが、前記1組の測定値に基づいて少なくとも2つのスモールセルに関連付けられた位置における信号対干渉および雑音比を最大にするステップを含む、請求項1に記載の方法。
【請求項４】
前記調整を決定する前記ステップが、前記1組の測定値に基づいて閾値信号レベル内の少なくとも2つのパイロット信号に関連付けられたエリアを最小にするステップを含む、請求項1に記載の方法。
【請求項５】
前記調整を決定する前記ステップが、前記1組の測定値に基づいて前記スモールセルのうちの少なくとも2つにトラフィック負荷を分配するステップを含む、請求項1に記載の方法。
【請求項６】
前記調整を決定する前記ステップが、前記1組の測定値に基づいて経路をカバーするスモールセルの数を最小にするステップを含む、請求項1に記載の方法。
【請求項７】
前記方法が一定の間隔で実行され、送信電力の前記調整を決定する前記ステップが前記一定の間隔に基づいて更新される、請求項6に記載の方法。
【請求項８】
前記経路が、通りを含む道路を含み、前記通りが、車両のユーザまたはモバイルユーザに関連付けられる、請求項6に記載の方法。
【請求項９】
前記調整を決定する前記ステップが、フェムトセルを含むネットワークエンティティによって実行される、請求項1に記載の方法。
【請求項１０】
前記調整を決定する前記ステップが、数値的な手順または反復的な手順のうちの少なくとも1つに基づく、請求項1に記載の方法。
【請求項１１】
前記調整を決定する前記ステップが、信号品質制約または送信電力レベル制約のうちの少なくとも1つに基づいて決定するステップをさらに含む、請求項1に記載の方法。
【請求項１２】
前記調整を決定する前記ステップが、電力、周波数、または時間を含むリソースを決定するステップをさらに含む、請求項1に記載の方法。
【請求項１３】
前記1組の測定値を決定する前記ステップが、(i)フェムトセルにおける前記複数のスモールセルの測定値を決定するステップ、(ii)移動局から測定報告メッセージを受信するステップ、(iii)アイドルユーザ登録から測定値を決定するステップ、(iv)アクティブユーザハンドオーバから測定値を決定するステップ、(v)ハンドオーバ履歴情報から測定値を決定するステップのうちの少なくとも1つを含む、請求項1に記載の方法。
【請求項１４】
前記1組の測定値が、PL、RSSI、またはEcp/Ioを含む無線周波数情報を含む、請求項1に記載の方法。
【請求項１５】
複数のスモールセルの1組のワイヤレス信号測定値を決定し、前記測定値に基づいて前記複数のスモールセルのカバレージエリア内のパイロットセル汚染を検出し、前記パイロットセル汚染を低減するために、前記複数のスモールセルのうちの少なくとも1つの少なくとも1つの送信パラメータの調整を決定し、前記複数のスモールセルのうちの前記少なくとも1つに前記調整を送信するために構成された少なくとも1つのプロセッサと、
データを記憶するための前記少なくとも1つのプロセッサに結合されたメモリと
を含むワイヤレス通信装置。
【請求項１６】
前記プロセッサが、さらに、少なくとも部分的に、前記1組の測定値に基づいて閾値未満の信号電力差を有する少なくとも2つのスモールセル間の重なりのエリアを最小にすることによって、前記調整を決定するために構成される、請求項15に記載の装置。
【請求項１７】
前記プロセッサが、さらに、少なくとも部分的に、前記1組の測定値に基づいて少なくとも2つのスモールセルに関連付けられた位置における信号対干渉および雑音比を最大にすることによって、前記調整を決定するために構成される、請求項15に記載の装置。
【請求項１８】
前記プロセッサが、さらに、少なくとも部分的に、前記1組の測定値に基づいて閾値信号レベル内の少なくとも2つのパイロット信号に関連付けられたエリアを最小にすることによって、前記調整を決定するために構成される、請求項15に記載の装置。
【請求項１９】
前記プロセッサが、さらに、少なくとも部分的に、前記1組の測定値に基づいて前記スモールセルのうちの少なくとも2つにトラフィック負荷を分配することによって、前記調整を決定するために構成される、請求項15に記載の装置。
【請求項２０】
前記プロセッサが、さらに、少なくとも部分的に、前記1組の測定値に基づいて経路をカバーするスモールセルの数を最小にすることによって、前記調整を決定するために構成される、請求項15に記載の装置。
【請求項２１】
前記プロセッサが、さらに、送信電力の前記調整を決定するステップを定期的に実行するために構成される、請求項15に記載の装置。
【請求項２２】
前記プロセッサが、さらに、数値的な手順または反復的な手順のうちの少なくとも1つに基づいて前記調整を決定するために構成される、請求項15に記載の装置。
【請求項２３】
前記プロセッサが、さらに、信号品質制約または送信電力レベル制約のうちの少なくとも1つに基づいて前記調整を決定するために構成される、請求項15に記載の装置。
【請求項２４】
前記プロセッサが、さらに、少なくとも部分的に、電力、周波数、または時間を含むリソースを決定することによって、前記調整を決定するために構成される、請求項15に記載の装置。
【請求項２５】
前記プロセッサが、さらに、少なくとも部分的に、(i)フェムトセルにおける前記複数のスモールセルの測定値を決定すること、(ii)移動局から測定報告メッセージを受信すること、(iii)アイドルユーザ登録から測定値を決定すること、(iv)アクティブユーザハンドオーバから測定値を決定すること、(v)ハンドオーバ履歴情報から測定値を決定することのうちの少なくとも1つによって、前記1組の測定値を決定するために構成される、請求項15に記載の装置。
【請求項２６】
前記プロセッサが、さらに、PL、RSSI、またはEcp/Ioを含む無線周波数情報を含む前記1組の測定値を決定するために構成される、請求項15に記載の装置。
【請求項２７】
ワイヤレス通信ネットワークのスモールセルによって、複数のスモールセルの1組のワイヤレス信号測定値を決定するための手段と、
前記測定値に基づいて前記複数のスモールセルのカバレージエリア内のパイロットセル汚染を検出するための手段と、
前記パイロットセル汚染を低減するために、前記複数のスモールセルのうちの少なくとも1つの少なくとも1つの送信パラメータの調整を決定するための手段と、
前記複数のスモールセルのうちの前記少なくとも1つに前記調整を送信するための手段と
を含むワイヤレス通信装置。
【請求項２８】
少なくとも1つのコンピュータに、
複数のスモールセルの1組のワイヤレス信号測定値を決定させ、
前記測定値に基づいて前記複数のスモールセルのカバレージエリア内のパイロットセル汚染を識別させ、
前記パイロットセル汚染を低減するために、前記複数のスモールセルのうちの少なくとも1つの少なくとも1つの送信パラメータの調整を決定させ、
前記複数のスモールセルのうちの前記少なくとも1つに前記調整を送信させる
ためのコードを含む非一時的コンピュータ可読媒体
を含むコンピュータプログラム製品。
【発明の詳細な説明】
【技術分野】
【０００１】
関連出願の相互参照
本出願は、本出願の譲受人に譲渡され、参照によりその全体が明白に本明細書に組み込まれる、2012年9月13日に出願した仮出願第61/700,815号に対する、米国特許法第119条(e)項に基づく優先権を主張する。
【０００２】
本開示は一般にセルラーワイヤレス通信システムに関し、より詳細にはそのようなシステムにおけるパイロット汚染の緩和に関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
ワイヤレス通信ネットワークは、たとえばユーザ機器(UE)など、いくつかのモバイルエンティティの通信をサポートすることができるいくつかの基地局を含むことができる。UEは、ダウンリンク(DL)およびアップリンク(UL)を介して基地局と通信し得る。DL(または順方向リンク)は基地局からUEへの通信リンクを指し、かつUL(または逆方向リンク)はUEから基地局への通信リンクを指す。
【０００５】
第3世代パートナーシッププロジェクト(3GPP)Long Term Evolution(LTE)は、セルラー技術における主要な進歩をGlobal System for Mobile communications(GSM（登録商標）)およびUniversal Mobile Telecommunications System(UMTS)の進化として表す。LTE物理層(PHY)は、発展型ノードB(eNB)などの基地局とUEなどの移動局との間にデータと制御情報の両方を伝達する高効率な方法を提供する。
【０００６】
近年、ユーザは、固定回線ブロードバンドをモバイルブロードバンドに置き換え始めており、特に家またはオフィスにおいて、高い音声品質、高信頼のサービス、および低価格への要求がますます高まっている。屋内のサービスを提供するために、ネットワーク事業者は、様々なソリューションを展開することができる。適度なトラフィックを有するネットワークでは、事業者は、建築物内に信号を送信するために、マクロセルラー基地局に依存し得る。しかしながら、建築物の透過損失が高いエリアでは、許容可能な信号品質を維持することは困難であり得、したがって、他のソリューションが望まれる。新しいソリューションは、たとえばスペースおよびスペクトルなどの限られた無線リソースを最大限に利用することがしばしば望まれる。これらのソリューションのうちのいくつかは、インテリジェントリピータ、遠隔無線ヘッド、および小カバレージ基地局(たとえば、ピコセルおよびフェムトセル)を含む。
【０００７】
フェムトセルソリューションの標準化および推進に焦点を合わせた非営利の会員制組織であるフェムトフォーラムは、フェムトセルユニットとも呼ばれるフェムトアクセスポイント(FAP)を、ライセンスされたスペクトルで動作し、ネットワーク事業者によって制御され、既存のハンドセットに接続することができ、住宅向きのデジタル加入者回線(DSL)またはバックホール用のケーブル接続を使用する低出力ワイヤレスアクセスポイントと定義する。様々な標準またはコンテキストにおいて、FAPは、ホームノードB(HNB)、ホームeノードB(HeNB)、アクセスポイント基地局、または他の用語などで呼ばれ得る。本明細書で使用する「スモールセル」は、フェムトセル、FAP、HNB、HeNB、または関連するワイヤレス通信ネットワークのマクロセル/eNBよりも実質的に低い送信電力を有する他のアクセスポイントを指す。たとえば、スモールセルの送信電力は、マクロセルのものの1%未満または5%未満であり得る。さらなる例では、マクロ基地局は、約40Wの最大出力で送信することができ、一方、スモールセルは、約1Wの最大出力で送信することができる。
【０００８】
マクロセルおよびスモールセル基地局を含む異種ネットワークは、干渉を管理し、競合するスモールセルからのパイロット信号汚染を低減するための様々な問題および機会を呈する。これらの問題に対処し、新しい機会を利用するために新技術を開発することが望ましい。
【発明の概要】
【課題を解決するための手段】
【０００９】
セルラーワイヤレス通信ネットワークにおけるパイロット汚染の緩和のための方法、装置、およびシステムが発明を実施するための形態において詳述されており、特定の態様が以下で要約される。この発明の概要および以下の発明を実施するための形態は、統合された開示の補完的な部分と解釈されるものとし、その部分は、冗長な主題および/または補足的な主題を含み得る。いずれかのセクションにおける省略は、統合された出願に記載されている任意の要素の優先順位または相対的重要度を示さない。セクション間の違いは、それぞれの開示から明らかであるように、異なる用語を使用した代替実施形態、追加の詳細、または同一の実施形態の代替の説明の補足的な開示を含むことができる。
【００１０】
一態様では、ワイヤレス通信ネットワークのスモールセルによって動作可能な方法は、複数のスモールセルの1組のワイヤレス信号測定値を決定するステップを含み得る。方法は、測定値に基づいて複数のスモールセルのカバレージエリア内のパイロットセル汚染を検出するステップを含み得る。方法は、パイロットセル汚染を低減するために、複数のスモールセルのうちの少なくとも1つの少なくとも1つの送信パラメータの調整を決定するステップと、複数のスモールセルのうちの少なくとも1つに調整を送信するステップとを含み得る。
【００１１】
一態様では、調整を決定するステップは、1組の測定値に基づいて閾値未満の信号電力差を有する少なくとも2つのスモールセル間の重なりのエリアを最小にするステップを含み得る。代替として、または、加えて、調整を決定するステップは、1組の測定値に基づいて少なくとも2つのスモールセルに関連付けられた位置における信号対干渉および雑音比を最大にするステップを含み得る。別の非排他的な変形形態では、調整を決定するステップは、1組の測定値に基づいて閾値信号レベル内の少なくとも2つのパイロット信号に関連付けられたエリアを最小にするステップを含み得る。さらに他の非排他的な変形形態では、調整を決定するステップは、トラフィック負荷をスモールセルのうちの少なくとも2つに分配する、または1組の測定値に基づいて経路(たとえば、道路)をカバーするスモールセルの数を最小にするステップを含む。調整を決定するステップは、たとえばフェムトセルなどのネットワークエンティティによって実行され得る。
【００１２】
さらにより詳細な態様では、調整を決定するステップは、数値的な手順または反復的な手順のうちの少なくとも1つに基づき得る。調整を決定するステップは、信号品質制約または送信電力レベル制約のうちの少なくとも1つに基づいた決定を実行するステップも含み得る。調整を決定するステップは、電力、周波数、または時間を含むリソースを決定するステップを含む。
【００１３】
他のより詳細な態様では、1組の測定値を決定するステップは、フェムトセルにおける複数のスモールセルの測定値を決定するステップ、移動局から測定報告メッセージを受信するステップ、アイドルユーザ登録から測定値を決定するステップ、アクティブユーザハンドオーバから測定値を決定するステップ、またはハンドオーバ履歴情報から測定値を決定するステップのうちの少なくとも1つを含み得る。1組の測定値は、PL、RSSI、またはEcp/Ioを含む無線周波数情報を含み得る。
【００１４】
関係する態様では、ワイヤレス通信装置は、上記で要約された方法および方法の態様のいずれかを実行するために提供され得る。装置は、たとえば、メモリに結合されたプロセッサを含み得、メモリは、装置に、上記のように動作を実行させるように、プロセッサが実行するための命令を保持する。そのような装置のいくつかの態様(たとえば、ハードウェア態様)は、たとえばフェムトセルまたはホームノードBなどのスモールセルなどの機器によって例証され得る。同様に、プロセッサによって実行されると、スモールセルに、上記で要約したように方法および方法の態様を実行させる、符号化された命令を保持するコンピュータ可能記憶媒体を含む製造品が提供され得る。
【図面の簡単な説明】
【００１５】
【図１】電気通信システムの一例を概念的に示すブロック図である。
【図２】電気通信システムのダウンリンクフレーム構造の一例を概念的に示すブロック図である。
【図３】基地局/eNBおよびUEの設計を概念的に示すブロック図である。
【図４】別の例示的な通信システムを示すブロック図である。
【図５】通信システムのいくつかの例示的な態様の簡略ブロック図である。
【図６】スモールセルネットワーク環境におけるパイロット汚染を示す図である。
【図７Ａ】RSCPエリア最小化機能を使用してフェムトセルパイロット汚染を緩和することを示す図である。
【図７Ｂ】RSCPエリア最小化機能を使用してフェムトセルパイロット汚染を緩和することを示す図である。
【図８Ａ】ある位置における最大SINR値の合計を最大にすることによってフェムトセルパイロット汚染を緩和することを示す図である。
【図８Ｂ】ある位置における最大SINR値の合計を最大にすることによってフェムトセルパイロット汚染を緩和することを示す図である。
【図９Ａ】最も強いパイロットの閾値内のいくつかのパイロットを有するエリアを最小にすることによってフェムトセルパイロット汚染を緩和することを示す図である。
【図９Ｂ】最も強いパイロットの閾値内のいくつかのパイロットを有するエリアを最小にすることによってフェムトセルパイロット汚染を緩和することを示す図である。
【図１０Ａ】ユーザトラフィック負荷を隣接セルに分配することによって容量を最大にすることを示す図である。
【図１０Ｂ】ユーザトラフィック負荷を隣接セルに分配することによって容量を最大にすることを示す図である。
【図１１】RSCPエリア最小化機能を使用してフェムトセルパイロット汚染を緩和するための方法の態様を示す図である。
【図１２】ある位置における最大SINR値の合計を最大にすることによってフェムトセルパイロット汚染を緩和するための方法の態様を示す図である。
【図１３】最も強いパイロットの閾値内のいくつかのパイロットを有するエリアを最小にすることによってフェムトセルパイロット汚染を緩和するための方法の態様を示す図である。
【図１４】ユーザトラフィック負荷を隣接セルに分配することによって容量を最大にするための方法の態様を示す図である。
【図１５】パイロット汚染を緩和するための方法の態様を示す図である。
【図１６】図11の方法による、RSCPエリア最小化機能を使用してフェムトセルパイロット汚染を緩和するための装置の一実施形態を示す図である。
【図１７】図12の方法による、ある位置における最大SINR値の合計を最大にすることによってフェムトセルパイロット汚染を緩和するための装置の一実施形態を示す図である。
【図１８】図13の方法による、最も強いパイロットの閾値内のいくつかのパイロットを有するエリアを最小にすることによってフェムトセルパイロット汚染を緩和するための装置の一実施形態を示す図である。
【図１９】図14の方法による、ユーザトラフィック負荷を隣接セルに分配することによって容量を最大にするための装置の一実施形態を示す図である。
【図２０】図15の方法による、パイロット汚染を緩和するための装置の一実施形態を示す図である。
【図２１】経路をカバーするフェムトセルの数を最小にすることによってフェムトセルパイロット汚染を緩和するための方法の態様を示す図である。
【図２２】図21の方法による、経路をカバーするフェムトセルの数を最小にすることによってフェムトセルパイロット汚染を緩和するための装置の一実施形態を示す図である。
【発明を実施するための形態】
【００１６】
ワイヤレス通信システムにおける干渉管理のための技法について、本明細書で説明する。たとえばワイヤレスワイドエリアネットワーク(WWAN)および無線ローカルエリアネットワーク(WLAN)など、様々なワイヤレス通信ネットワークのための技法が使用され得る。「ネットワーク」および「システム」という用語は、しばしば互換的に使用される。WWANは、CDMA、TDMA、FDMA、OFDMA、SC-FDMA、および/または他のネットワークとすることができる。CDMAネットワークは、Universal Terrestrial Radio Access(UTRA)、cdma2000などの無線技術を実装することができる。UTRAは、Wideband CDMA(WCDMA（登録商標）)およびCDMAの他の変形形態を含む。cdma2000は、IS-2000規格、IS-95規格およびIS-856規格をカバーする。TDMAネットワークは、Global System for Mobile Communications(GSM)などの無線技術を実装し得る。OFDMAネットワークは、Evolved UTRA(E-UTRA)、Ultra Mobile Broadband(UMB)、IEEE802.16(WiMAX)、IEEE802.20、Flash-OFDMなどの無線技術を実装し得る。UTRAおよびE-UTRAは、Universal Mobile Telecommunication System (UMTS)の一部である。3GPP Long Term Evolution(LTE)およびLTE-Advanced(LTE-A)は、ダウンリンク(DL)上ではOFDMAを採用し、アップリンク(UL)上ではSC-FDMAを採用するE-UTRAを使用するUMTSの新リリースである。UTRA、E-UTRA、UMTS、LTE、LTE-AおよびGSMは、「3rd Generation Partnership Project」(3GPP)という名称の組織の文書に記載されている。cdma2000およびUMBは、「3rd Generation Partnership Project 2」(3GPP2)という名称の組織の文書に記載されている。WLANは、たとえばIEEE 802.11(WiFi)、Hiperlanなどの無線技術を実装し得る。
【００１７】
本明細書で説明される技法は、上記のワイヤレスネットワークおよび無線技術、ならびに他のワイヤレスネットワークおよび無線技術に用いられてもよい。明快のために、本技法のいくつかの態様は、3GPPネットワークの例示的なコンテキストで説明され、より詳細には、そのようなネットワークのための干渉管理のコンテキストで説明される。「例示的」という語は、本明細書では「例、実例、または例示として働く」ことを意味するように使用される。「例示的な」として本明細書で説明する任意の実施形態は、必ずしも他の実施形態よりも好ましいか、または有利であると解釈されるべきではない。
【００１８】
図1はワイヤレス通信ネットワーク100を示しており、これはLTEネットワークまたは何らかの他のワイヤレスネットワーク(たとえば、3Gネットワークなど)であり得る。ワイヤレスネットワーク100は、いくつかの発展型ノードB(eNB)110a-cと他のネットワークエンティティとを含み得る。eNBは、モバイルエンティティ(たとえばユーザ機器(UE))と通信するエンティティであり、基地局、ノードB、アクセスポイントまたは他の用語でも呼ばれ得る。eNBは一般的に基地局よりも多くの機能を有しているが、本明細書では「eNB」および「基地局」という用語が互換的に使用されている。各eNB110a-cは、特定の地理的エリアのための通信カバレージを提供することができ、カバーエリア内に位置するモバイルエンティティ(たとえば、UE)のための通信をサポートすることができる。ネットワーク容量を向上させるために、eNBの全体的なカバレージエリアは、複数の(たとえば3つの)より小さいエリアに区分されることがある。より小さい各エリアは、それぞれのeNBサブシステムによってサービスされ得る。3GPPでは、「セル」という用語は、この用語が使用される状況に応じて、eNBの最小のカバレージエリアおよび/またはこのカバレージエリアにサービスしているeNBサブシステムを指すことがある。
【００１９】
eNBは、マクロセル、ピコセル、フェムトセル、および/または他のタイプのセルに通信カバレージを提供し得る。マクロセルは、比較的大きい地理的エリア(たとえば、半径数キロメートル)をカバーし得、サービスに加入しているUEによる無制限アクセスを可能にし得る。ピコセルは、比較的小さい地理的エリアをカバーし得、サービスに加入しているUEによる無制限アクセスを可能にし得る。フェムトセルは、比較的小さい地理的エリア(たとえば、家庭)をカバーし得、フェムトセルとの関連を有するUE(たとえば、限定加入者グループ(CSG)または閉じられたアクセスの中のUE)による限定アクセスを可能にし得る。図1に示す例では、eNB110a、110bおよび110cは、それぞれマクロセルグループ102a、102bおよび102cのマクロeNBであり得る。セルグループ102a、102bおよび102cの各々は、複数(たとえば、3つの)セルまたはセクターを含むことができる。eNB110yは、フェムトeNB110zの隣接するフェムトセル102zと重なるまたは重ならないカバレージエリアを有し得るフェムトセル102yのためのフェムトeNBまたはアクセスポイント(FAP)でもよい。
【００２０】
ワイヤレスネットワーク100は、中継器も含み得る(図1には図示せず)。中継器は、上流局(たとえば、eNBまたはUE)からのデータの伝送を受信し、下流局(たとえば、UEまたはeNB)へのデータの伝送を送ることができるエンティティであり得る。中継器は、他のUE向けの伝送を中継することができるUEであってもよい。
【００２１】
ネットワークコントローラ130は、eNBのセットに結合し得、これらのeNBの協調および制御を行い得る。ネットワークコントローラ130は、単一のネットワークエンティティまたはネットワークエンティティの集合を含み得る。ネットワークコントローラ130はバックホールを介してeNBと通信し得る。eNBはまた、たとえば、ワイヤレスバックホールまたはワイヤラインバックホールを介して直接または間接的に互いに通信し得る。
【００２２】
UE120はワイヤレスネットワーク100全体にわたって分散され得、各UEは固定または移動であり得る。UEは、移動局、端末、アクセス端末、加入者ユニット、局などと呼ばれることもある。UEは、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、スマートフォン、ネットブック、スマートブックなどであり得る。UEは、eNB、中継器などと通信することが可能であり得る。UEはまた、他のUEとピアツーピア(P2P)で通信することが可能であり得る。
【００２３】
ワイヤレスネットワーク100は、シングルキャリアまたはDLおよびULの各々のためのマルチキャリアにおける動作をサポートすることができる。キャリアは、通信のために使用される周波数範囲を指し、特定の特徴に関連付けられ得る。マルチキャリア上での動作は、マルチキャリア動作またはキャリアアグリゲーションとも呼ばれ得る。UEは、eNBとの通信のために、DL(またはDLキャリア)のための1つまたは複数のキャリア、およびUL(またはULキャリア)のための1つまたは複数のキャリア上で動作することができる。eNBは、1つまたは複数のDLキャリアに関するデータおよび制御情報をUEに送ることができる。UEは、1つまたは複数のULキャリアに関するデータおよび制御情報をeNBに送ることができる。1つの設計では、DLキャリアは、ULキャリアと対にされ得る。この設計では、所与のDLキャリア上のデータ送信をサポートするための制御情報は、そのDLキャリアおよび関連のULキャリア上で送られ得る。同様に、所与のULキャリア上のデータ送信をサポートするための制御情報は、そのULキャリアおよび関連のDLキャリア上で送られ得る。別の設計では、クロスキャリア制御がサポートされ得る。この設計では、所与のDLキャリア上のデータ送信をサポートするための制御情報は、所与のDLキャリアの代わりに、別のDLキャリア(たとえば、ベースキャリア)上で送られ得る。
【００２４】
ワイヤレスネットワーク100は、所与のキャリアのためのキャリアエクステンションをサポートすることができる。キャリアエクステンションのために、キャリア上の異なるUEのために、異なるシステム帯域幅がサポートされ得る。たとえば、ワイヤレスネットワークは、(i)第1のUE(たとえば、LTE Release 8もしくは9または何らかの他のリリースをサポートするUE)のためのDLキャリア上の第1のシステム帯域幅、および(ii)第2のUE(たとえば、後のLTEリリースをサポートするUE)のためのDLキャリア上の第2のシステム帯域幅をサポートし得る。第2のシステム帯域幅は、第1のシステム帯域幅に完全にまたは部分的に重複し得る。たとえば、第2のシステム帯域幅は、第1のシステム帯域幅、および第1のシステム帯域幅の一端または両端における追加の帯域幅を含み得る。追加のシステム帯域幅は、第2のUEにデータおよび場合によっては制御情報を送るために使用され得る。
【００２５】
ワイヤレスネットワーク100は、単入力単出力(SISO)、単入力多出力(SIMO)、多入力単出力(MISO)、および/または多入力多出力(MIMO)を介してデータ送信をサポートすることができる。MIMOでは、送信機(たとえばeNB)は、複数の送信アンテナから受信機(たとえばUE)の複数の受信アンテナにデータを送信することができる。MIMOは、(たとえば、異なるアンテナから同じデータを送信することによって)信頼性を向上させる、および/または(たとえば、異なるアンテナから異なるデータを送信することによって)スループットを向上させるために使用され得る。
【００２６】
ワイヤレスネットワーク100は、シングルユーザ(SU)MIMO、マルチユーザ(MU)MIMO、多地点協調(CoMP)などをサポートすることができる。SU-MIMOでは、セルは、プリコーディングの有無にかかわらず所与の時間周波数リソース上で複数のデータストリームを単一のUEに送信することができる。MU-MIMOでは、セルは、プリコーディングの有無にかかわらず同じ時間周波数リソース上で複数のデータストリームを複数のUEに(たとえば、各UEに対して1つのデータストリーム)送信することができる。CoMPは、協働送信および/または共同処理を含み得る。協働送信では、複数のセルは、データ送信が意図されたUEの方に向けられる、および/または1つまたは複数の被干渉のUEから離れるように、所与の時間/周波数リソース上で、1つまたは複数のデータストリームを単一のUEに送信することができる。共同処理では、複数のセルは、プリコーディングの有無にかかわらず同じ時間周波数リソース上で複数のデータストリームを複数のUEに(たとえば、各UEに対して1つのデータストリーム)送信することができる。
【００２７】
ワイヤレスネットワーク100は、データ送信の信頼性を向上させるために、ハイブリッド自動再送信(HARQ)をサポートすることができる。HARQでは、送信機(たとえばeNB)は、データパケット(またはトランスポートブロック)の送信を送ることができ、必要に応じて、パケットが受信機(たとえばUE)によって正しく復号化されるまで、または最大数の送信が送られるまで、または何らかの他の終了状態に遭遇するまで、1つまたは複数の追加の送信を送ることができる。送信機は、このように、パケットの可変数の送信を送ることができる。
【００２８】
ワイヤレスネットワーク100は、同期動作または非同期動作をサポートし得る。同期動作の場合、eNBは同様のフレームタイミングを有し得、異なるeNBからの送信は近似的に時間的に整合され得る。非同期動作の場合、eNBは異なるフレームタイミングを有し得、異なるeNBからの送信は時間的に整合されないことがある。
【００２９】
ワイヤレスネットワーク100は、周波数分割複信(FDD)または時分割複信(TDD)を利用することができる。FDDでは、DLおよびULは別々の周波数チャネルが割り振られてもよく、DL送信およびUL送信は、2つの周波数チャネル上で並行して送られてもよい。TDDでは、DLおよびULは同じ周波数チャネルを共有してもよく、DL送信およびUL送信は、異なる時間期間で同じ周波数チャネル上で送られてもよい。
【００３０】
図2は、LTEにおいて使用されるダウンリンクフレーム構造200を示す。ダウンリンクの伝送タイムラインを、無線フレームの単位202、204、206に区分できる。各無線フレームは、所定の持続時間(たとえば、10ミリ秒(ms))を有することができ、0〜9のインデックスを有する10個のサブフレーム208に区分され得る。各サブフレームは2個のスロット210を含むことができる。したがって、各無線フレームは、0〜19のインデックスをもつ20個のスロットを含むことができる。各スロットは、L個のシンボル期間212を含んでもよく、図2に示されるように、たとえば、通常のサイクリックプレフィックス(CP)に対して7個のシンボル期間を含んでもよく、または、拡張されたサイクリックプレフィックスに対して6個のシンボル期間を含んでもよい。通常のCPおよび拡張CPは、本明細書では、異なるCPタイプと呼ばれ得る。各サブフレーム中の2L個のシンボル期間には0〜2L-1のインデックスが割り当てられ得る。利用可能な時間周波数リソースはリソースブロックに区分できる。各リソースブロックは、1つのスロット中でN個のサブキャリア(たとえば、12個のサブキャリア)をカバーし得る。
【００３１】
LTEでは、eNBは、eNBの各セルに対して、プライマリ同期信号(PSS)およびセカンダリ同期信号(SSS)を送ることができる。図2に示されるように、主要な同期信号および二次的な同期信号は、通常のサイクリックプレフィックスを有する各無線フレームのサブフレーム0および5の各々において、それぞれシンボル期間6および5で送られ得る。同期信号が、セルの検出および取得のためにUEにより用いられ得る。eNBは、サブフレーム0のスロット1において、シンボル期間0から3で、物理ブロードキャストチャネル(PBCH)を送ることができる。PBCHは、特定のシステム情報を搬送することができる。
【００３２】
図2においては第1のシンボル期間全体が描かれているが、eNBは、各サブフレームの第1のシンボル期間の一部のみにおいて物理制御フォーマットインジケータチャネル(PCFICH)を送ることができる。PCFICHは、制御チャネルに使用されるシンボル期間の数(M)を搬送することができ、Mは、1、2または3に等しくてもよく、サブフレームにより異なっていてもよい。また、Mは、小さいシステム帯域幅、たとえば、10個未満のリソースブロックを有する帯域幅に対しては、4に等しくてもよい。図2に示される例では、M=3である。eNBは、各サブフレームの最初のM個のシンボル期間において(図2ではM=3)、物理HARQインジケータチャネル(PHICH)および物理ダウンリンク制御チャネル(PDCCH)を送ることができる。PHICHは、ハイブリッド自動再送信(HARQ)をサポートするための情報を搬送し得る。PDCCHは、UEに対するリソースの割振りに関する情報と、ダウンリンクチャネルに対する制御情報とを搬送することができる。図2における第1のシンボル期間には示されていないが、PDCCHおよびPHICHは第1のシンボル期間にも含まれることは理解されたい。図2にはそのように示されていないが、同様に、PHICHおよびPDCCHは両方とも、第2のシンボル期間および第3のシンボル期間内にもある。eNBは、各サブフレームの残りのシンボル期間において、物理ダウンリンク共有チャネル(PDSCH)を送ることができる。PDSCHは、ダウンリンク上でのデータ送信がスケジュールされたUEのためのデータを搬送することができる。LTEにおける様々な信号およびチャネルは、「Evolved Universal Terrestrial Radio Access(E-UTRA)、Physical Channels and Modulation」という表題の3GPP TS 36.211で説明され、これは公開されている。
【００３３】
eNBは、eNBにより用いられるシステム帯域幅の中心1.08MHzにおいて、PSS、SSSおよびPBCHを送ることができる。eNBは、これらのチャネルが送られる各シンボル期間の中の、全体のシステム帯域幅にわたって、PCFICHおよびPHICHを送ることができる。eNBは、システム帯域幅のある部分で、UEのグループにPDCCHを送ることができる。eNBは、システム帯域幅の特定の部分で、特定のUEにPDSCHを送ることができる。eNBは、ブロードキャスト方式で、PSS、SSS、PBCH、PCFICHおよびPHICHをすべてのUEに送ることができ、ユニキャスト方式で、PDCCHを特定のUEに送ることができ、ユニキャスト方式で、PDSCHを特定のUEに送ることもできる。
【００３４】
UEは、複数のeNBのカバレージ内にあり得る。そのUEにサービスするために、これらのeNBのうちの1つが選択され得る。サービングeNBは、受信電力、経路損失、信号対雑音比(SNR)、または類似の基準など、様々な基準に基づいて選択され得る。
【００３５】
図3は、図1の基地局/eNBの1つであり得る基地局/eNB110および図1のUEの1つであり得るUE120の設計のブロック図を示す。制限された関連付けシナリオの場合、基地局110は図1のマクロeNB110cであり得、UE120はUE120yであり得る。基地局110は、フェムトセル、ピコセルなどを含むアクセスポイントなど何らかの他のタイプの基地局でもよい。基地局110は、アンテナ334a〜334tを備えてもよく、UE120は、アンテナ352a〜352rを備えてもよい。
【００３６】
基地局110において、送信プロセッサ320は、データ源312からデータを受信し、コントローラ/プロセッサ340から制御情報を受信することができる。制御情報は、PBCH、PCFICH、PHICH、PDCCH、または他のチャネルのためのものであり得る。データは、PDSCHなどのためのものであり得る。プロセッサ320は、データと制御情報とを処理(たとえば、符号化およびシンボルマッピング)して、それぞれデータシンボルと制御シンボルとを取得し得る。プロセッサ320はまた、たとえば、PSS、SSS、およびセル固有参照信号のための参照シンボルを生成し得る。送信(TX)多入力多出力(MIMO)プロセッサ330は、適用可能な場合、データシンボル、制御シンボル、および/または参照シンボルに対して空間処理(たとえば、プリコーディング)を実行し得、出力シンボルストリームを変調器(MOD)332a〜332tに供給し得る。各変調器332は、それぞれの出力シンボルストリームを(たとえば、OFDMまたは他の符号化方法用に)処理して、出力サンプルストリームを取得し得る。各変調器332はさらに、出力サンプルストリームを処理(たとえば、アナログ変換、増幅、フィルタ処理、およびアップコンバート)して、ダウンリンク信号を取得し得る。変調器332a〜332tからのダウンリンク信号は、それぞれアンテナ334a〜334tを介して送信され得る。
【００３７】
UE120において、アンテナ352a〜352rは、基地局110からダウンリンク信号を受信することができ、それぞれ、受信された信号を復調器(DEMOD)354a〜354rに提供することができる。各復調器354は、それぞれの受信信号を調整(たとえば、フィルタ処理、増幅、ダウンコンバート、およびデジタル化)して入力サンプルを取得し得る。各復調器354はさらに、(たとえば、OFDMなどの)入力サンプルを処理して受信シンボルを取得し得る。MIMO検出器356は、すべての復調器354a〜354rから、受信されたシンボルを取得し、可能な場合には受信されたシンボルに対してMIMO検出を実行し、検出されたシンボルを提供することができる。受信プロセッサ358は、検出されたシンボルを処理(たとえば、復調、デインターリーブ、および復号)し、UE120のための復号されたデータをデータシンク360に提供し、かつ復号された制御情報をコントローラ/プロセッサ380に提供することができる。
【００３８】
アップリンクでは、UE120において、送信プロセッサ364が、データ源362からのデータ(たとえば、PUSCHのための)、およびコントローラ/プロセッサ380からの制御情報(たとえば、PUCCHのための)を受信して処理することができる。プロセッサ364はまた、参照信号のための参照シンボルを生成することもできる。送信プロセッサ364からのシンボルは、TX MIMOプロセッサ366によりプリコーディングされ、可能な場合には、(たとえばSC-FDMなどのために)変調器354a〜354rによりさらに処理され、基地局110に送信され得る。基地局110において、UE120からのアップリンク信号は、アンテナ334により受信され、復調器332により処理され、可能な場合にはMIMO検出器336により検出され、受信プロセッサ338によりさらに処理されて、UE120により送られた、復号されたデータおよび制御情報を得ることができる。プロセッサ338は、復号されたデータをデータシンク339に提供し、かつ復号された制御情報をコントローラ/プロセッサ340に提供することができる。
【００３９】
コントローラ/プロセッサ340および380は、それぞれ基地局110およびUE120における動作を指示することができる。プロセッサ340ならびに/または基地局110における他のプロセッサおよびモジュールは、本明細書で説明される技法の様々な処理の実行を、遂行または指示することができる。UE120におけるプロセッサ380ならびに/または他のプロセッサおよびモジュールも、図11〜図15および/もしくは図21に示す機能ブロックの実行、ならびに/または本明細書で説明する技法を実施するための他の動作を実施または指示し得る。メモリ342および382は、それぞれ、基地局110およびUE120のためのデータおよびプログラムコードを記憶することができる。スケジューラ344は、ダウンリンク上および/またはアップリンク上でのデータ送信のためにUEをスケジュールし得る。
【００４０】
一構成では、たとえば、ワイヤレス通信のためのUE120は、ワイヤレスネットワークによってカバーされていない位置を決定するための手段と、カバーされていない位置に関連付けられた1つまたは複数の条件が満たされた場合、カバレージホール検出メッセージを生成するための手段と、カバレージホール検出メッセージをカバーされているワイヤレスネットワークに送信するための時間を決定するための手段とを含み得る。カバレージホールを決定するための手段は、カバレージホールが存在するワイヤレスネットワークへの事前の接続を有するまたは失うことなく、カバレージホールが検出され得るように構成され得る。一態様では、上記の手段は、上記の手段によって具陳される機能を実行するように構成されたプロセッサ、コントローラ/プロセッサ380、メモリ382、受信プロセッサ358、MIMO検出器356、復調器354a、およびアンテナ352aを含み得る。別の態様では、上記の手段は、上記の手段によって具陳される機能を実行するように構成されたモジュールまたは任意の装置であり得る。
【００４１】
図4は、様々な態様による、計画的または半計画的な(たとえば、部分的にアドホックな)ワイヤレス通信環境400の図である。通信環境400は、対応する小規模ネットワーク環境にそれぞれ設置される、FAP410を含む複数のアクセスポイント基地局を含む。小規模ネットワーク環境の例は、ユーザの住居、勤務地、屋内/屋外の施設430などを含むことができる。FAP410は、(たとえば、FAP410に関連付けられたCSGに含まれる)関連するUE40、または随意に、異種のまたはビジターのUE40(たとえば、FAP410のCSGのために構成されていないUE)にサービスするように構成され得る。各FAP410は、DSLルータ、ケーブルモデム、電力線接続を介したブロードバンド、衛星インターネット接続などを介してワイドエリアネットワーク(WAN)(たとえば、インターネット440)および移動体事業者コアネットワーク450にさらに結合される。
【００４２】
FAP410を介してワイヤレスサービスを実施するために、FAP410の所有者は、移動体事業者コアネットワーク450を介して提供されるモバイルサービスに加入する。また、UE40は、本明細書で説明する様々な技法を利用して、マクロセルラー環境において、および/または住居の小規模ネットワーク環境において動作することができる。したがって、少なくともいくつかの開示された態様において、FAP410は、任意の適した既存のUE40との後方互換性があり得る。さらに、マクロセルモバイルネットワーク455に加えて、UE40は、所定数のFAP410、特に、対応するユーザの住居、勤務地、屋内/屋外の施設430内にあるFAP410によってサービスされ、移動体事業者コアネットワーク450のマクロセルモバイルネットワーク455とのソフトハンドオーバ状態にあることはできない。本明細書で説明する態様は3GPP用語を使用しているが、態様が、3GPP技術(たとえば、リリース(Rel)9、Rel5、Rel6、Rel7)、3GPP2技術(1xRTT、1xEV-DO Rel0、RevA、RevB)、ならびに他の既知のおよび関連した技術を含む様々な技術にも適用され得ることを諒解されたい。
【００４３】
図5は、分散されたノード(たとえば、アクセスポイント502、504および506)が、関連する地理的エリアに設置され得る、またはその全体にわたって移動し得る、他のノード(たとえば、UE508、510および512)にワイヤレス接続を提供する、通信システム500のサンプル態様を示す。いくつかの態様では、アクセスポイント502、504、および506は、WAN接続性を容易にするために、1つまたは複数のネットワークノード(たとえば、ネットワークノード514などの集中型ネットワークコントローラ)と通信することができる。
【００４４】
アクセスポイント504などのアクセスポイントは制限され得、それによって、いくつかのモバイルエンティティ(たとえばUE510)のみがアクセスポイントにアクセスすることができ、または、アクセスポイントは、何らかの他の方法で制限され得る。そのような場合、制限されたアクセスポイントおよび/またはその関連するモバイルエンティティ(たとえばUE510)は、たとえば無制限のアクセスポイント(たとえば、マクロアクセスポイント502)、その関連するモバイルエンティティ(たとえば、UE508)、別の制限されたアクセスポイント(たとえば、アクセスポイント506)、またはその関連するモバイルエンティティ(たとえば、UE512)など、システム500における他のノードに干渉し得る。たとえば、所与のUEに最も近いアクセスポイントは、所与のUEのためのサービス側アクセスポイントではない場合がある。
【００４５】
いくつかの場合には、UE510は、測定報告を生成することができる(たとえば、繰り返しで)。いくつかの態様では、そのような測定報告は、UE510がどのアクセスポイントから信号を受信しているか、各アクセスポイント(たとえば、Ec/Io)からの信号に関連付けられた受信信号強度表示、アクセスポイントの各々に対するPL、または何らかの他の適したタイプの情報を示すことができる。いくつかの場合には、測定報告は、UE510がDLを介して受信した任意の負荷表示に関する情報を含み得る。ネットワークノード514は、次いで、アクセスポイント504および/またはUE510が別のノード(たとえば、他のアクセスポイントまたはUE)に比較的近いかどうかを決定するために、1つまたは複数の測定報告からの情報を使用することができる。
【００４６】
いくつかの場合には、UE510は、DL上の信号対雑音比(たとえば、信号対干渉雑音比(SINR))を示す情報を生成することができる。そのような情報は、たとえば、チャネル品質表示(「CQI」)、データレート制御(「DRC」)指示、または何らかの他の適した情報を備え得る。いくつかの場合には、この情報は、アクセスポイント504に送られ得、アクセスポイント504は、干渉管理動作において使用するためにネットワークノード514にこの情報を転送することができる。いくつかの態様では、ネットワークノード514は、干渉がDL上にあるかどうかを決定する、またはDLにおける干渉が増加または減少しているかを決定するために、そのような情報を使用することができる。
【００４７】
パイロット汚染の緩和
上記で説明したように、eNBは、マクロセル、ピコセル、フェムトセル、および/または他のタイプのセルに通信カバレージを提供し得る。専用のキャリア上にフェムトセルが配置されているとき、フェムトセルネットワークの容量オフロードゲインが最大にされ、したがって、配置されたフェムトセルと同じチャネル上のマクロネットワークからの干渉がない。しかしながら、帯域幅はそのような不十分なリソースであるので、細心の注意および効率で帯域幅が割り当てられ、管理されることを必要とする。したがって、事業者は、ネットワークの容量を最大にするために、キャリアをフェムトセル専用とするかどうか、および/またはそのときを決定することができる。
【００４８】
本開示の1つまたは複数の実施形態によれば、スモールセルネットワークにおけるパイロット汚染の緩和のための集中型管理の技法が提供される。たとえばフェムトセル、マイクロセル、およびピコセルなどのスモールセルは、容量およびカバレージの大幅な向上を達成するための有望な方法で近傍に対するセルラーカバレージを拡大する。スモールセルが計画されてない方法で(たとえば、住居または企業環境において)配置されるので、スモールセルは、はるかに高い干渉量を作り出し、結果として、複数のフェムトセルから、パイロット汚染としても知られる、重なるカバレージエリアを有する大きい領域となり得る。パイロット汚染は、容量と接続モードモビリティの両方に影響を及ぼす。したがって、そのような配置は、パイロット汚染を緩和しながら、信号対干渉および雑音比(SINR)を改善するために、送信電力管理戦略を必要とする。パイロット汚染を緩和し、ネットワークにおいてSINRを改善するために、集中型の方法が提供される。
【００４９】
図6は、スモールセルネットワーク環境600におけるパイロット汚染602を示す。オープンまたはハイブリッドモードで動作しているセル604、606、608、610を有するスモールセルネットワーク600は、カバレージおよび容量を提供することに関して、様々な問題を提示し得る。そのようなセルの配置は計画されてないので、様々なセルからの一定の送信電力での送信は、結果として、過度の干渉量、およびセルの間の重なるカバレージ領域602がもたらされ得、パイロット汚染が起こり得る。
【００５０】
パイロット汚染は、(i)結果としてより低いチャネル品質指示(CQI)およびより高いハイブリッド自動再送要求(HARQ)をもたらすSINRの低下をもたらし得、再送はより低いスループットをもたらす、および(ii)セル間の頻繁なハンドオーバは、たとえば送信制御プロトコル(TCP)アプリケーション、リアルタイムストリーミングビデオ、他の低レイテンシアプリケーションなど、モバイルデバイス上で動作するいくつかのアプリケーションに影響を及ぼし得る。
【００５１】
最適なパイロット汚染緩和パフォーマンスを確立するための方法は、集中型の方法を使用することができる。フェムトセルネットワークの送信電力較正のための集中型の方法およびアルゴリズムが提供される。技法は、パイロット汚染を識別し、後に続き得るアクションを説明する。パイロット汚染の識別は、(i)ネットワークリッスンモードを使用してフェムトセルで得られた測定値、(ii)フェムトセルに接続されたモバイルからの測定報告メッセージ(たとえば、イントラ、インター、および無線アクセス技術間(RAT))、(iii)アイドルユーザ登録からの情報、(iv)アクティブユーザハンドオーバからの情報、および(v)UEハンドオーバ履歴情報に基づいて実行され得る。上記の情報に基づいて、たとえば電力、周波数、および時間などのフェムトセルリソースが、それに応じて割り振られ得る。
【００５２】
方法およびアルゴリズムは、フェムトセルユーザまたは任意の他の方法によって取得されたモバイル測定報告によって所望のカバレージエリアにおけるおよび/またはその周囲の無線周波数(RF)情報(たとえば、PL、マクロRSSI、Ecp/Ioなど)の利用可能性に依存する。記載された手順は、中央エンティティによって、またはアンカーもしくはコントローラフェムトセルを含むフェムトセルによって、または任意の他のネットワークエンティティによって実行され得る。方法およびアルゴリズムが、たとえばUMTS、LTE、1x/DOなど様々な技術に適用可能であり得ることを、当業者であれば認識されよう。
【００５３】
図7A〜図7Bは、RSCPエリア最小化機能を使用してフェムトセルパイロット汚染を緩和することを示す。集中型管理は、最適化機能として表され得る。たとえば、最適化機能は、最も強い、および2番目に強いフェムトセルからの受信信号コードパワー(RSCP)が互いの閾値内である(すなわち、それらの差が閾値未満である)エリアを最小にすることを含み得る。たとえば、最も強いおよび2番目に強いフェムトセルは、互いの3dBまたは6dB内にあり得る。最小化機能は、たとえば、以下の最小値として、象徴的に表され得る。
【００５４】
【数１】
2015534358.tif 000003
【００５５】
式中、「N」は、計算グリッド上のポイントの数である。最小化機能は、たとえば信号品質が維持されている、および送信電力レベルが所定の範囲内にあるなどの制約を受ける可能性がある。たとえば、CPICHは、制約
【００５６】
【数２】
2015534358.tif 000004
【００５７】
を受ける可能性があり、フェムトセル電力(Pfemto)は、制約Pmin<Pfemto<20dBMを受ける可能性があり、この場合、Pfemtoは、整数値に限定される。
【００５８】
チャネルリソースは、時間、帯域幅、または電力の任意の組合せを含み得る。図7A〜図7Bに示した例では、2つのフェムトセル722、724は、UE712、714、716にサービスしている。フェムトセル722、724のカバレージエリア702、704はそれぞれ、近接しており、重なるカバレージエリア732を形成する。UE716は、重なるカバレージエリア732内にあり、2つのフェムトセル722、724からの干渉およびパイロット汚染を体験する。
【００５９】
パイロット汚染は、最も強いおよび2番目に強いフェムトセルからのRSCPが互いの閾値内である(たとえば、RSCP値間の差はある閾値未満である)エリアを最小にすることによって低減され得る。たとえば、UE716は、それぞれ60dBおよび62dBのフェムトセル722、724のRSCPの測定を行う。フェムトセル722は、たとえば、UE716からの測定報告を介して、UE716からRSCPを受信し得る。フェムトセル722またはフェムトセル722と通信するネットワークエンティティ(図示せず)は、RSCP(60dBおよび62dB)が互いの3dBの閾値内であることを決定することができる。互いの閾値内であるRSCPは、パイロット汚染を示し得る。たとえば、フェムトセル722は、UE716での重なりのエリアを最小にするための調整を決定することができる。フェムトセル722は、フェムトセル724のための送信電力の低減を決定することができる。
【００６０】
調整は、信号品質または送信電力レベルによって制限され得る。たとえば、UE714はフェムトセル724によってサービスされ、UE714を除外するためにカバレージエリアを極端に縮小することによってUE724に対するカバレージを拒否しないように、送信電力の調整が決定され得る。代替的にまたは追加として、フェムトセル722は、フェムトセル724に対する周波数帯域割振りまたは送信時間割振りの低減を決定することができる。フェムトセル722は、たとえば、バックホールを介して、フェムトセル724に調整を送る。
【００６１】
図7Bは、フェムトセル724に対する調整の影響を示す。フェムトセル724は、フェムトセル722から調整を受信した後、示された調整を実行する。たとえば、フェムトセル724は、その送信電力を低減する。低減したカバレージエリア704'は、UE716をもはや含まない。フェムトセル724がその送信電力を低減したので、カバレージ704'の重なりのエリアも低減する。UE714は、フェムトセル724のカバレージエリア内に残る。
【００６２】
図8A〜図8Bは、ある位置における最大SINR値の合計を最大にすることによってフェムトセルパイロット汚染を緩和することを示す。最適化機能は、ある位置をカバーするフェムトセルにわたるSINRmaxの合計を最大にすることを含み得、これは、コスト関数
【００６３】
【数３】
2015534358.tif 000005
【００６４】
として表され得る。最大化機能は、たとえば信号品質が維持されている、および送信電力レベルが所定の範囲内にあるなどの制約を受ける可能性がある。たとえば、CPICHは、制約
【００６５】
【数４】
2015534358.tif 000006
【００６６】
を受ける可能性があり、フェムトセル電力(Pfemto)は、制約Pmin<Pfemto<20dBMを受ける可能性があり、この場合、Pfemtoは、整数値に限定される。チャネルリソースは、時間、帯域幅、または電力の任意の組合せを含み得る。
【００６７】
図8A〜図8Bに示した例では、2つのフェムトセル822、824は、UE812、および814の近傍にある。UE812は、フェムトセル822、824の測定を行う。フェムトセル822は、たとえば、UE812からの測定報告を介して、UE812から測定値を受信し得る。フェムトセル722またはフェムトセル722と通信しているネットワークエンティティ(図示せず)は、UE812において位置をカバーするフェムトセルのための最大SINRの合計を最大にすることを決定することができる。フェムトセル822は、その送信電力を増加させることを決定することができる。調整は、信号品質または送信電力レベルによって制限され得る。たとえば、UE814はフェムトセル824によってサービスされ、カバレージエリア802を極端に拡大することによってUE814に対するかなりの干渉をもたらさないように、送信電力の調整が決定され得る。代替的にまたは追加として、フェムトセル822は、フェムトセル822に対する周波数帯域割振りまたは送信時間割振りの低減を決定することができる。図8Bは、フェムトセル822に対する調整の影響を示す。フェムトセル822は、決定された調整を実行する。拡大されたカバレージエリア802'は、より良いSINRをUE812に提供する。UE814は、かなりのさらなる干渉を体験しない。
【００６８】
図9A〜図9Bは、最も強いパイロットの閾値内のいくつかのパイロットを有するエリアを最小にすることによってフェムトセルパイロット汚染を緩和することを示す。最適化機能は、最も強いパイロットの閾値内のいくつかのパイロットを有するエリアを最小にすることを含み得る。上記の図8A〜図8Bとの関係でより詳細に説明したように、最小化機能は、たとえば信号品質が維持されている、および送信電力レベルが所定の範囲内にあるなどの制約を受ける可能性がある。チャネルリソースは、時間、帯域幅、または電力の任意の組合せを含み得る。
【００６９】
図9A〜図9Bに示した例では、フェムトセル922、924、926は、UE912、914、916にサービスしている。UE914は、重なるカバレージエリア内にあり、3つのフェムトセル922、924、および926からの干渉およびパイロット汚染を体験する。パイロット汚染は、最も強いパイロットの閾値内にあるパイロットを有する位置におけるそれぞれのフェムトセルのカバレージエリアを最小にすることによって低減され得る。たとえば、UE914は、それぞれ60dB、62dBおよび62dBのフェムトセル922、924、926の測定を行う。フェムトセル922は、たとえば、UE916からの測定報告を介して、UE916から測定値を受信し得る。フェムトセル922またはフェムトセル922と通信しているネットワークエンティティ(図示せず)は、UE914の位置においてそれぞれのフェムトセルのカバレージエリアを最小にすることを決定することができる。たとえば、フェムトセル922は、UE922での重なりのエリアを最小にするための調整を決定することができる。
【００７０】
フェムトセル922は、フェムトセル924、926のための送信電力の低減を決定することができる。調整は、信号品質または送信電力レベルによって制限され得る。たとえば、UE916はフェムトセル926によってサービスされ、UE916を除外するためにカバレージエリアを極端に縮小することによってUE916に対するカバレージを拒否しないように、送信電力の調整が決定され得る。代替的にまたは追加として、フェムトセル922は、フェムトセル924、926に対する周波数帯域割振りまたは送信時間割振りの低減を決定することができる。フェムトセル922は、たとえば、バックホールを介して、フェムトセル924、926への調整を送り得る。
【００７１】
図9Bは、フェムトセル924、926に対する調整の影響を示す。フェムトセル924、926は、フェムトセル922から調整を受信した後、示された調整を実行する。たとえば、フェムトセル924、926は、送信電力を低減する。低減したカバレージエリア904'、906'は、UE914をもはや含まない場合がある。フェムトセル924、926がその送信電力を低減したので、カバレージ'の重なりのエリアも低減する。UE914は、フェムトセル922のカバレージエリア内に残る。
【００７２】
図10A〜10Bは、ユーザトラフィック負荷を隣接セルに分配することによって容量を最大にすることを示す。最適化機能は、ユーザトラフィック負荷を隣接セルに均等に分配することによって容量を最大にすることを含み得る。送信電力割振りは、ユーザトラフィック負荷に基づいて実行され得る。最大電力は、ロードされたセルのために低下し得、一方、最小電力制約は、ロードされていないネイバーのために増加され得る。チャネルリソースは、時間、帯域幅、または電力の任意の組合せを含み得る。
【００７３】
図10A〜図10Bに示した例では、フェムトセル1022、1024は、UE1012、1014、1016、1018、1019にサービスしている。5つのUE1012、1014、1016、1018、1019はすべて、フェムトセル1024によって現在サービスされており、一方、フェムトセル1022は、どんなUEにもサービスしていない。フェムトセル1024から1022にユーザトラフィック負荷を分配することによって、容量は向上し得る。たとえば、UE1012、1014、1016、1018、1019を含む、UEからの測定報告は、フェムトセル1022、1024によって受信され得る。フェムトセル1022またはフェムトセル1022と通信しているネットワークエンティティ(図示せず)は、ユーザトラフィック負荷を隣接フェムトセルに分配することによって容量を最大にすることを決定することができる。たとえば、フェムトセル1022は、フェムトセル1024からユーザトラフィック負荷をオフロードするために、調整を決定することができる。フェムトセル1022は、フェムトセル1022のための送信電力の増加およびフェムトセル1024のための送信電力の低減を決定することができる。調整は、信号品質または送信電力レベルによって制限され得る。代替的にまたは追加として、フェムトセル1022は、フェムトセル1022、1024に対する周波数帯域割振りまたは送信時間割振りの増加または低減を決定することができる。フェムトセル1022は、それ自体およびフェムトセル1024の調整を決定する。フェムトセル1022は、たとえば、バックホールを介して、フェムトセル1024の調整を送る。
【００７４】
図10Bは、フェムトセル1022、1024に対する調整の影響を示す。フェムトセル1022、1024は、示された調整を実行する。たとえば、フェムトセル1022は、その送信電力を増加させるのに対して、フェムトセル1024は、その送信電力を低減する。フェムトセル1022の増加したカバレージエリア1002'は、UE1012、1014を含み得る。フェムトセル1024の低減したカバレージエリア1004'は、UE1012、1014をもはや含まない場合がある。
【００７５】
フェムトセルの電力差の制約も捕捉され得る。最適化手順およびソリューションの詳細は、添付の付録AおよびBにさらに記載されている。上記の最適化問題は、数値的な手法または反復法を含む非線形プログラミング方法を介して解決され得る。反復法では、たとえば、所望の結果が達成されるまで、上記のプロセスは繰り返され得る。
【００７６】
図11に関して、本明細書で説明する実施形態の1つまたは複数の態様によれば、たとえばフェムトセル、マクロセル、ピコセルなどのネットワークエンティティによって動作可能な方法1100が示される。具体的には、方法1100は、たとえば、図7A〜図7Bに示したように、RSCPエリア最小化機能を使用してパイロット汚染を緩和するための手順を記載する。方法1100は、1102で、複数のセルに関連付けられた1組の測定値を決定し、測定値に基づいて複数のスモールセルのカバレージエリア内でパイロットセル汚染を検出するステップを含み得る。方法1100は、1104で、たとえば1組の測定値に基づいて閾値未満の信号電力差を有する少なくとも2つのセル間の重なりのエリアを最小にするための調整など、パイロットセル汚染を低減するために、複数のスモールセルのうちの少なくとも1つの少なくとも1つの送信パラメータの調整を決定するステップを含み得る。方法1100は、1106で、複数のスモールセルのうちの少なくとも1つの調整を送信するステップを含み得る。
【００７７】
図12に関して、本明細書で説明する実施形態の別のものの1つまたは複数の態様によれば、たとえば、フェムトセル、マクロセル、ピコセルなどのネットワークエンティティによって動作可能な方法1200が示される。具体的には、方法1200は、たとえば、図8A〜図8Bに示したように、ある位置で最大SINR値の合計を最大にすることによってパイロット汚染を緩和するための手順を記載する。方法1200は、1202で、複数のセルに関連付けられた1組の測定値を決定し、測定値に基づいて複数のスモールセルのカバレージエリア内でパイロットセル汚染を検出するステップを含み得る。方法1200は、1204で、たとえば1組の測定値に基づいて少なくとも2つのセルに関連付けられた位置における信号対干渉および雑音比を最大にするための調整など、パイロットセル汚染を低減するために、複数のスモールセルのうちの少なくとも1つの少なくとも1つの送信パラメータの調整を決定するステップを含み得る。方法1200は、1206で、複数のスモールセルのうちの少なくとも1つに調整を送信するステップを含み得る。
【００７８】
図13に関して、本明細書で説明する実施形態の別のものの1つまたは複数の態様によれば、たとえば、フェムトセル、マクロセル、ピコセルなどのネットワークエンティティによって動作可能な方法1300が示される。具体的には、方法1300は、たとえば、図9A〜図9Bに示したように、最も強いパイロットの閾値内のいくつかのパイロットを有するエリアを最小にすることによってパイロット汚染を緩和するための手順を記載する。方法1300は、1302で、複数のセルに関連付けられた1組の測定値を決定し、測定値に基づいて複数のスモールセルのカバレージエリア内でパイロットセル汚染を検出するステップを含み得る。方法1300は、1304で、たとえば1組の測定値に基づいて閾値信号レベル内の少なくとも2つのパイロット信号に関連付けられたエリアを最小にするための調整など、パイロットセル汚染を低減するために、複数のスモールセルのうちの少なくとも1つの少なくとも1つの送信パラメータの調整を決定するステップを含み得る。方法1300は、1306で、複数のスモールセルのうちの少なくとも1つに調整を送信するステップを含み得る。
【００７９】
図14に関して、本明細書で説明する実施形態の別のものの1つまたは複数の態様によれば、たとえば、フェムトセル、マクロセル、ピコセルなどのネットワークエンティティによって動作可能な方法1400が示される。具体的には、方法1400は、たとえば、図10A〜図10Bに示したように、ユーザトラフィック負荷を隣接セルに分配することによって容量を最大にするための手順を記載する。方法1400は、1402で、複数のセルに関連付けられた1組の測定値を決定し、測定値に基づいて複数のスモールセルのカバレージエリア内でパイロットセル汚染を検出するステップを含み得る。方法1400は、1404で、たとえば1組の測定値に基づいて少なくとも2つのセルにトラフィック負荷を分配するための調整など、パイロットセル汚染を低減するために、複数のスモールセルのうちの少なくとも1つの少なくとも1つの送信パラメータの調整を決定するステップを含み得る。方法1400は、1406で、複数のスモールセルのうちの少なくとも1つに調整を送信するステップを含み得る。
【００８０】
図15に関して、本明細書で説明する実施形態の別のものの1つまたは複数の態様によれば、たとえば、フェムトセル、マクロセル、ピコセルなどのネットワークエンティティによって動作可能な方法1500が示される。具体的には、方法1500は、パイロット汚染を緩和するための手順を記載する。方法1500は、1502で、複数のセルに関連付けられた1組の測定値を決定するステップを含み得る。場合によっては、方法1500は、測定値に基づいて複数のスモールセルのカバレージエリア内のパイロットセル汚染を検出するステップを含み得る。方法1500は、1504で、1組の測定値に基づいて複数のスモールセルのうちの少なくとも1つの少なくとも1つの送信パラメータの調整を決定するステップを含み得る。方法1500は、1506で、複数のスモールセルのうちの少なくとも1つに調整を送信するステップを含み得る。
【００８１】
図16は、図11の方法による、RSCPエリア最小化機能を使用してパイロット汚染を緩和するための装置の一実施形態を示す。図16に関して、ワイヤレスネットワークにおけるネットワークエンティティ(たとえば、フェムトセル、マクロセル、ピコセルなど)として、または、ネットワークエンティティ内で使用するためのプロセッサまたは類似のデバイス/構成要素として構成され得る例示的な装置1600が提供される。装置1600は、プロセッサ、ソフトウェア、またはその組合せ(たとえばファームウェア)によって実施される機能を表すことができる機能ブロックを含み得る。たとえば、装置1600は、複数のセルに関連付けられた1組の測定値を決定するための電気的構成要素またはモジュール1602を含み得る。装置1600は、1組の測定値に基づいて閾値未満の信号電力差を有する少なくとも2つのセル間の重なりのエリアを最小にするための調整を決定するための電気的構成要素またはモジュール1604を含み得る。方法1600は、複数のセルのうちの少なくとも1つに調整を送信するための電気的構成要素またはモジュール1606を含み得る。構成要素1602、1604、1606の各々は、たとえば、上記の図7A〜図7Bに関連して説明されているスモールセルについてより詳細なアルゴリズムの対応するものを実行するフェムトセルなどにおけるプロセッサを含む、それぞれの説明した機能を実行するための手段を備え得る。
【００８２】
関係する態様では、装置1600は、プロセッサとしてよりむしろ、ネットワークエンティティ(たとえば、フェムトセル、マクロセル、ピコセルなど)として構成される装置1600の場合、少なくとも1つのプロセッサを有するプロセッサ構成要素1650を随意に含み得る。プロセッサ1650は、そのような場合、バス1652または類似の通信結合を介して構成要素1602〜1606と動作可能に通信し得る。プロセッサ1650は、電気的構成要素1602〜1606によって実行されるプロセスまたは機能を開始しスケジューリングしてよい。
【００８３】
さらなる関係する態様では、装置1600は、無線トランシーバ構成要素1654を含むことができる。スタンドアロン受信機、および/またはスタンドアロン送信機は、トランシーバ1654の代わりに、またはそれと連動して使用され得る。装置1600がネットワークエンティティであるとき、装置1600は、1つまたは複数のコアネットワークエンティティに接続するためのネットワークインターフェース(図示せず)も含み得る。装置1600は、たとえばメモリデバイス/構成要素1656など、情報を記憶するための構成要素を随意に含み得る。コンピュータ可読媒体またはメモリ構成要素1656は、バス1652などを介して装置1600の他の構成要素に動作可能に結合され得る。メモリ構成要素1656は、構成要素1602〜1606およびその副構成要素、またはプロセッサ1650、または本明細書で開示する方法のプロセスおよび挙動を実施するためのコンピュータ可読命令およびデータを記憶するように適応され得る。メモリ構成要素1656は、構成要素1602〜1606に関連付けられた機能を実行するための命令を保持することができる。メモリ1656の外部にあるものとして示されているが、構成要素1602〜1606はメモリ1656内に存在し得ることを理解されたい。図16における構成要素は、プロセッサ、電子デバイス、ハードウェアデバイス、電子的副構成要素、論理回路、メモリ、ソフトウェアコード、ファームウェアコードなど、またはそれらの任意の組合せを備え得ることにさらに留意されたい。
【００８４】
図17は、図12の方法による、ある位置における最大SINR値の合計を最大にすることによってパイロット汚染を緩和するための装置の一実施形態を示す。図17に関して、ワイヤレスネットワークにおけるネットワークエンティティ(たとえば、フェムトセル、マクロセル、ピコセルなど)として、または、ネットワークエンティティ内で使用するためのプロセッサまたは類似のデバイス/構成要素として構成され得る例示的な装置1700が提供される。装置1700は、プロセッサ、ソフトウェア、またはその組合せ(たとえばファームウェア)によって実施される機能を表すことができる機能ブロックを含み得る。たとえば、装置1700は、複数のセルに関連付けられた1組の測定値を決定するための電気的構成要素またはモジュール1702を含み得る。装置1700は、1組の測定値に基づいて少なくとも2つのセルに関連付けられた位置における信号対干渉および雑音比を最大にするための調整を決定するための電気的構成要素またはモジュール1704を含み得る。方法1700は、複数のセルのうちの少なくとも1つに調整を送信するための電気的構成要素またはモジュール1706を含み得る。構成要素1702、1704、1706の各々は、たとえば、上記の図8A〜図8Bに関連してスモールセルについて説明されているより詳細なアルゴリズムの対応するものを実行するフェムトセルなどにおけるプロセッサを含む、それぞれの説明した機能を実行するための手段を備え得る。
【００８５】
関係する態様では、装置1700は、プロセッサとしてよりむしろ、ネットワークエンティティ(たとえば、フェムトセル、マクロセル、ピコセルなど)として構成される装置1700の場合、少なくとも1つのプロセッサを有するプロセッサ構成要素1750を随意に含み得る。プロセッサ1750は、そのような場合、バス1752または類似の通信結合を介して構成要素1702〜1706と動作可能に通信し得る。プロセッサ1750は、電気的構成要素1702〜1706によって実行されるプロセスまたは機能を開始しスケジューリングしてよい。
【００８６】
さらなる関係する態様では、装置1700は、無線トランシーバ構成要素1754を含むことができる。スタンドアロン受信機、および/またはスタンドアロン送信機は、トランシーバ1754の代わりに、またはそれと連動して使用され得る。装置1700がネットワークエンティティであるとき、装置1700は、1つまたは複数のコアネットワークエンティティに接続するためのネットワークインターフェース(図示せず)も含み得る。装置1700は、たとえばメモリデバイス/構成要素1756など、情報を記憶するための構成要素を随意に含み得る。コンピュータ可読媒体またはメモリ構成要素1756は、バス1752などを介して装置1700の他の構成要素に動作可能に結合され得る。メモリ構成要素1756は、構成要素1702〜1706およびその副構成要素、またはプロセッサ1750、または本明細書で開示する方法のプロセスおよび挙動を実施するためのコンピュータ可読命令およびデータを記憶するように適応され得る。メモリ構成要素1756は、構成要素1702〜1706に関連する機能を実行するための命令を保持してよい。構成要素1702〜1706は、メモリ1756の外部にあるものとして示されているが、メモリ1756内に存在し得ることを理解されたい。図17における構成要素は、プロセッサ、電子デバイス、ハードウェアデバイス、電子副構成要素、論理回路、メモリ、ソフトウェアコード、ファームウェアコードなど、またはそれらの任意の組合せを備え得ることにさらに留意されたい。
【００８７】
図18は、図13の方法による、最も強いパイロットの閾値内のいくつかのパイロットを有するエリアを最小にすることによってパイロット汚染を緩和するための装置の一実施形態を示す。図18に関して、ワイヤレスネットワークにおけるネットワークエンティティ(たとえば、フェムトセル、マクロセル、ピコセルなど)として、または、ネットワークエンティティ内で使用するためのプロセッサまたは類似のデバイス/構成要素として構成され得る例示的な装置1800が提供される。装置1800は、プロセッサ、ソフトウェア、またはその組合せ(たとえばファームウェア)によって実施される機能を表すことができる機能ブロックを含み得る。たとえば、装置1800は、複数のセルに関連付けられた1組の測定値を決定するための電気的構成要素またはモジュール1802を含み得る。装置1800は、1組の測定値に基づいて閾値信号レベル内の少なくとも2つのパイロット信号に関連付けられたエリアを最小にするための調整を決定するための電気的構成要素またはモジュール1804を含み得る。方法1800は、複数のセルのうちの少なくとも1つに調整を送信するための電気的構成要素またはモジュール1806を含み得る。構成要素1802、1804、1806の各々は、たとえば、上記の図9A〜図9Bに関連してスモールセルについて説明されているより詳細なアルゴリズムの対応するものを実行するフェムトセルなどにおけるプロセッサを含む、それぞれの説明した機能を実行するための手段を備え得る。
【００８８】
関係する態様では、装置1800は、プロセッサとしてよりむしろ、ネットワークエンティティ(たとえば、フェムトセル、マクロセル、ピコセルなど)として構成される装置1800の場合、少なくとも1つのプロセッサを有するプロセッサ構成要素1850を随意に含み得る。プロセッサ1850は、そのような場合、バス1852または類似の通信結合を介して構成要素1802〜1806と動作可能に通信し得る。プロセッサ1850は、電気的構成要素1802〜1806によって実行されるプロセスまたは機能を開始しスケジューリングしてよい。
【００８９】
さらなる関係する態様では、装置1800は、無線トランシーバ構成要素1854を含むことができる。スタンドアロン受信機、および/またはスタンドアロン送信機は、トランシーバ1854の代わりに、またはそれと連動して使用され得る。装置1800がネットワークエンティティであるとき、装置1800は、1つまたは複数のコアネットワークエンティティに接続するためのネットワークインターフェース(図示せず)も含み得る。装置1800は、たとえばメモリデバイス/構成要素1856など、情報を記憶するための構成要素を随意に含み得る。コンピュータ可読媒体またはメモリ構成要素1856は、バス1852などを介して装置1800の他の構成要素に動作可能に結合され得る。メモリ構成要素1856は、構成要素1802〜1806およびその副構成要素、またはプロセッサ1850、または本明細書で開示する方法のプロセスおよび挙動を実施するためのコンピュータ可読命令およびデータを記憶するように適応され得る。メモリ構成要素1856は、構成要素1802〜1806に関連する機能を実行するための命令を保持してよい。構成要素1802〜1806は、メモリ1856の外部にあるものとして示されているが、メモリ1856内に存在し得ることを理解されたい。図18における構成要素は、プロセッサ、電子デバイス、ハードウェアデバイス、電子副構成要素、論理回路、メモリ、ソフトウェアコード、ファームウェアコードなど、またはそれらの任意の組合せを備え得ることにさらに留意されたい。
【００９０】
図19は、図14の方法による、ユーザトラフィック負荷を隣接セルに分配することによって容量を最大にするための装置の一実施形態を示す。図19に関して、ワイヤレスネットワークにおけるネットワークエンティティ(たとえば、フェムトセル、マクロセル、ピコセルなど)として、または、ネットワークエンティティ内で使用するためのプロセッサまたは類似のデバイス/構成要素として構成され得る例示的な装置1900が提供される。装置1900は、プロセッサ、ソフトウェア、またはその組合せ(たとえばファームウェア)によって実施される機能を表すことができる機能ブロックを含み得る。たとえば、装置1900は、複数のセルに関連付けられた1組の測定値を決定するための電気的構成要素またはモジュール1902を含み得る。装置1900は、1組の測定値に基づいてトラフィック負荷を少なくとも2つのセルに分配するための調整を決定するための電気的構成要素またはモジュール1904を含み得る。装置1900は、複数のセルのうちの少なくとも1つに調整を送信するための電気的構成要素またはモジュール1906を含み得る。構成要素1902、1904、1906の各々は、たとえば、上記の図10A〜図10Bに関連してスモールセルについて説明されているより詳細なアルゴリズムの対応するものを実行するフェムトセルなどにおけるプロセッサを含む、それぞれの説明した機能を実行するための手段を備え得る。
【００９１】
関係する態様では、装置1900は、プロセッサとしてよりむしろ、ネットワークエンティティ(たとえば、フェムトセル、マクロセル、ピコセルなど)として構成される装置1900の場合、少なくとも1つのプロセッサを有するプロセッサ構成要素1950を随意に含み得る。プロセッサ1950は、そのような場合、バス1952または類似の通信結合を介して構成要素1902〜1906と動作可能に通信し得る。プロセッサ1950は、電気的構成要素1902〜1906によって実行されるプロセスまたは機能を開始しスケジューリングしてよい。
【００９２】
さらなる関係する態様では、装置1900は、無線トランシーバ構成要素1954を含むことができる。スタンドアロン受信機、および/またはスタンドアロン送信機は、トランシーバ1954の代わりに、またはそれと連動して使用され得る。装置1900がネットワークエンティティであるとき、装置1900は、1つまたは複数のコアネットワークエンティティに接続するためのネットワークインターフェース(図示せず)も含み得る。装置1900は場合によっては、たとえば、メモリデバイス/構成要素1956などの情報を記憶するための構成要素を含んでよい。コンピュータ可読媒体またはメモリ構成要素1956はバス1952などを介して装置1900の他の構成要素に動作可能に結合されてよい。メモリ構成要素1956は、構成要素1902〜1906およびその副構成要素、またはプロセッサ1950、または本明細書で開示する方法のプロセスおよび挙動を実施するためのコンピュータ可読命令およびデータを記憶するように適応され得る。メモリ構成要素1956は、構成要素1902〜1906に関連する機能を実行するための命令を保持してよい。構成要素1902〜1906は、メモリ1956の外部にあるものとして示されているが、メモリ1956内に存在し得ることを理解されたい。図19における構成要素は、プロセッサ、電子デバイス、ハードウェアデバイス、電子副構成要素、論理回路、メモリ、ソフトウェアコード、ファームウェアコードなど、またはそれらの任意の組合せを備え得ることにさらに留意されたい。
【００９３】
図20は、図15の方法による、パイロット汚染を緩和するための装置の一実施形態を示す。図20に関して、ワイヤレスネットワークにおけるネットワークエンティティ(たとえば、フェムトセル、マクロセル、ピコセルなど)として、または、ネットワークエンティティ内で使用するためのプロセッサまたは類似のデバイス/構成要素として構成され得る例示的な装置2000が提供される。装置2000は、プロセッサ、ソフトウェア、またはその組合せ(たとえばファームウェア)によって実施される機能を表すことができる機能ブロックを含み得る。たとえば、装置2000は、複数のセルに関連付けられた1組の測定値を決定するための電気的構成要素またはモジュール2002を含み得る。装置2000は、1組の測定値に基づいて複数のセルのうちの少なくとも1つの調整を決定するための電気的構成要素またはモジュール2004を含み得る。装置2000は、複数のセルのうちの少なくとも1つに調整を送信するための電気的構成要素またはモジュール2006を含み得る。構成要素2002、2004、2006の各々は、たとえば、上記の図7A〜図7B、図8A〜図8B、図9A〜図9B、または図10A〜図10Bに関連してスモールセルについて説明されているより詳細なアルゴリズムの対応するものを実行するフェムトセルなどにおけるプロセッサを含む、それぞれの説明した機能を実行するための手段を備え得る。
【００９４】
関係する態様では、装置2000は、プロセッサとしてよりむしろ、ネットワークエンティティ(たとえば、フェムトセル、マクロセル、ピコセルなど)として構成される装置2000の場合、少なくとも1つのプロセッサを有するプロセッサ構成要素2050を随意に含み得る。プロセッサ2050は、そのような場合、バス2052または類似の通信結合を介して構成要素2002〜2006と動作可能に通信し得る。プロセッサ2050は、電気的構成要素2002〜2006によって実行されるプロセスまたは機能を開始しスケジューリングしてよい。
【００９５】
さらなる関係する態様では、装置2000は、無線トランシーバ構成要素2054を含むことができる。スタンドアロン受信機、および/またはスタンドアロン送信機は、トランシーバ2054の代わりに、またはそれと連動して使用され得る。装置2000がネットワークエンティティであるとき、装置2000は、1つまたは複数のコアネットワークエンティティに接続するためのネットワークインターフェース(図示せず)も含み得る。装置2000は場合によっては、たとえば、メモリデバイス/構成要素2056などの情報を記憶するための構成要素を含んでよい。コンピュータ可読媒体またはメモリ構成要素2056はバス2052などを介して装置2000の他の構成要素に動作可能に結合されてよい。メモリ構成要素2056は、構成要素2002〜2006およびその副構成要素、またはプロセッサ2050、または本明細書で開示する方法のプロセスおよび挙動を実施するためのコンピュータ可読命令およびデータを記憶するように適応され得る。メモリ構成要素2056は、構成要素2002〜2006に関連する機能を実行するための命令を保持してよい。構成要素2002〜2006は、メモリ2056の外部にあるものとして示されているが、メモリ2056内に存在し得ることを理解されたい。図20における構成要素は、プロセッサ、電子デバイス、ハードウェアデバイス、電子副構成要素、論理回路、メモリ、ソフトウェアコード、ファームウェアコードなど、またはそれらの任意の組合せを備え得ることにさらに留意されたい。
【００９６】
図21に関して、本明細書で説明する実施形態の別のものの1つまたは複数の態様によれば、たとえば、フェムトセル、マクロセル、ピコセルなどのネットワークエンティティによって動作可能な方法2100が示される。具体的には、方法2100は、パイロット汚染を緩和するための手順を記載する。方法2100は、2102で、複数のセルに関連付けられた1組の測定値を決定し、測定値に基づいて複数のスモールセルのカバレージエリア内でパイロットセル汚染を検出するステップを含み得る。方法2100は、2104で、たとえば1組の測定値に基づいて経路をカバーするフェムトセルの数を最小にするための調整など、パイロットセル汚染を低減するために、複数のスモールセルのうちの少なくとも1つの少なくとも1つの送信パラメータの調整を決定するステップを含み得る。方法2100は、2106で、複数のセルのうちの少なくとも1つに調整を送信するステップを含み得る。
【００９７】
図22は、図20の方法による、パイロット汚染を緩和するための装置の一実施形態を示す。図22に関して、ワイヤレスネットワークにおけるネットワークエンティティ(たとえば、フェムトセル、マクロセル、ピコセルなど)として、または、ネットワークエンティティ内で使用するためのプロセッサまたは類似のデバイス/構成要素として構成され得る例示的な装置2200が提供される。装置2200は、プロセッサ、ソフトウェア、またはその組合せ(たとえばファームウェア)によって実施される機能を表すことができる機能ブロックを含み得る。たとえば、装置2200は、複数のセルに関連付けられた1組の測定値を決定するための電気的構成要素またはモジュール2202を含み得る。装置2200は、1組の測定値に基づいて経路をカバーするフェムトセルの数を最小にするための調整を決定するための電気的構成要素またはモジュール2204を含み得る。装置2200は、複数のセルのうちの少なくとも1つに調整を送信するための電気的構成要素またはモジュール2206を含み得る。
【００９８】
関係する態様では、装置2200は、プロセッサとしてよりむしろ、ネットワークエンティティ(たとえば、フェムトセル、マクロセル、ピコセルなど)として構成される装置2200の場合、少なくとも1つのプロセッサを有するプロセッサ構成要素2250を随意に含み得る。プロセッサ2250は、そのような場合、バス2252または類似の通信結合を介して構成要素2202〜2206と動作可能に通信し得る。プロセッサ2250は、電気的構成要素2202〜2206によって実行されるプロセスまたは機能を開始しスケジューリングしてよい。
【００９９】
さらなる関係する態様では、装置2200は、無線トランシーバ構成要素2254を含むことができる。スタンドアロン受信機、および/またはスタンドアロン送信機は、トランシーバ2254の代わりに、またはそれと連動して使用され得る。装置2200がネットワークエンティティであるとき、装置2200は、1つまたは複数のコアネットワークエンティティに接続するためのネットワークインターフェース(図示せず)も含み得る。装置2200は場合によっては、たとえば、メモリデバイス/構成要素2256などの情報を記憶するための構成要素を含んでよい。コンピュータ可読媒体またはメモリ構成要素2256はバス2252などを介して装置2200の他の構成要素に動作可能に結合されてよい。メモリ構成要素2256は、構成要素2202〜2206およびその副構成要素、またはプロセッサ2250、または本明細書で開示する方法のプロセスおよび挙動を実施するためのコンピュータ可読命令およびデータを記憶するように適応され得る。メモリ構成要素2256は、構成要素2202〜2206に関連する機能を実行するための命令を保持してよい。構成要素2202〜2206は、メモリ2256の外部にあるものとして示されているが、メモリ2256内に存在し得ることを理解されたい。図22における構成要素は、プロセッサ、電子デバイス、ハードウェアデバイス、電子副構成要素、論理回路、メモリ、ソフトウェアコード、ファームウェアコードなど、またはそれらの任意の組合せを備え得ることにさらに留意されたい。
【０１００】
当業者は、情報および信号は様々な異なる技術および技法のいずれかを使用して表され得ることを理解されよう。たとえば、上記の説明全体にわたって言及できるデータ、命令、コマンド、情報、信号、ビット、シンボル、およびチップは、電圧、電流、電磁波、磁場もしくは磁性粒子、光場もしくは光学粒子、またはそれらの任意の組合せによって表現することができる。
【０１０１】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能性に関して説明した。そのような機能性をハードウェアとして実装するか、またはソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱をもたらすものと解釈すべきではない。
【０１０２】
本明細書の開示に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せで実装または実行することができる。汎用プロセッサはマイクロプロセッサであり得るが、代替として、そのプロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、または任意の他のそのような構成として実装され得る。
【０１０３】
本明細書の開示に関して説明する方法またはアルゴリズムのステップは、直接ハードウェアで実施されるか、プロセッサによって実行されるソフトウェアモジュールで実施されるか、またはその2つの組合せで実施され得る。ソフトウェアモジュールは、RAMメモリ、フラッシュメモリ、ROMメモリ、EPROMメモリ、EEPROMメモリ、レジスタ、ハードディスク、取外し可能ディスク、CD-ROM、または、当技術分野で知られているいずれか他の形の記憶媒体の中に存在してよい。例示的な記憶媒体は、プロセッサが記憶媒体から情報を読み取り、かつ記憶媒体に情報を書き込むことができるように、プロセッサに結合される。代替として、記憶媒体はプロセッサと一体であり得る。プロセッサおよび記憶媒体はASIC内に存在する場合がある。ASICは、ユーザ端末内に常駐し得る。代替として、プロセッサおよび記憶媒体は、ユーザ端末中に個別コンポーネントとして常駐し得る。
【０１０４】
1つまたは複数の例示的な設計では、説明した機能を、ハードウェア、ソフトウェア、ファームウェア、または任意のそれらの組合せで実装することができる。ソフトウェアで実装される場合、機能は、1つまたは複数の命令またはコードとしてコンピュータ可読媒体上に記憶されるか、またはコンピュータ可読媒体を介して送信され得る。非一時的コンピュータ可読媒体は、ある場所から別の場所へのコンピュータプログラムの転送を可能にする任意の媒体を含む、両方のコンピュータ記憶媒体を含む。記憶媒体は、汎用または専用コンピュータによってアクセスされ得る任意の利用可能な媒体であってよい。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコード手段を搬送または記憶するために使用することができ、汎用もしくは専用コンピュータまたは汎用もしくは専用プロセッサによってアクセスすることができる、任意の他の媒体を含み得る。本明細書で使用する場合、ディスク(disk)およびディスク(disc)は、コンパクトディスク(CD)、レーザーディスク（登録商標）、光ディスク、デジタル多用途ディスク(DVD)、フロッピー（登録商標）ディスク、およびブルーレイディスクを含み、このうち、ディスク(disk)は、通常、磁気的に符号化されたデータを保持し、ディスク(disc)は、光学的に符号化されたデータを保持する。上記の組合せもコンピュータ可読媒体の範囲の中に含まれるべきである。
【０１０５】
本開示の前述の説明は、いかなる当業者でも本開示を作成または使用することができるように記載されている。本開示への様々な変更が当業者には容易に明らかになり、本明細書において規定される一般原理は、本開示の趣旨または範囲を逸脱することなく、他の変形形態に適用することができる。したがって、本開示は、本明細書で説明する例および設計に限定されるものではなく、本明細書で開示する原理および新規の特徴に合致する最も広い範囲を与えられるべきである。
【符号の説明】
【０１０６】
2  キャリア
110  基地局
110c  マクロeNB
120  UE
120y  UE
200  ダウンリンクフレーム構造
210  スロット
212  シンボル期間
312  データ源
320  送信プロセッサ
330  送信(TX)多入力多出力(MIMO)プロセッサ
332a〜332t  変調器(MOD)
334a〜334t  アンテナ
338  受信プロセッサ
339  データシンク
340  コントローラ/プロセッサ
342  メモリ
344  スケジューラ
352a〜352r  アンテナ
354a〜354r  復調器(DEMOD)
356  MIMO検出器
358  受信プロセッサ
362  データ源
364  送信プロセッサ
366  TX MIMOプロセッサ
380  コントローラ/プロセッサ
382  メモリ
400  ワイヤレス通信環境
510  UE
600  スモールセルネットワーク
602  パイロット汚染
602  重なるカバレージ領域
604  セル
606  セル
608  セル
610  セル
702  カバレージエリア
704  カバレージエリア
704'  カバレージエリア
712  UE
714  UE
716  UE
722  フェムトセル
724  フェムトセル
732  重なるカバレージエリア
812  UE
814  UE
822  フェムトセル
824  フェムトセル
912  UE
914  UE
916  UE
922  フェムトセル
924  フェムトセル
926  フェムトセル
1012  UE
1014  UE
1016  UE
1018  UE
1019  UE
1002'  増加したカバレージエリア
1022  フェムトセル
1024  フェムトセル
1600  装置
1602  電気的構成要素
1604  電気的構成要素
1606  電気的構成要素
1650  プロセッサ構成要素
1652  バス
1654  無線トランシーバ構成要素
1656  メモリデバイス/構成要素
1700  装置
1702  電気的構成要素
1704  電気的構成要素
1706  電気的構成要素
1750  プロセッサ構成要素
1752  バス
1754  無線トランシーバ構成要素
1756  メモリデバイス/構成要素
1800  装置
1802  電気的構成要素
1804  電気的構成要素
1806  電気的構成要素
1850  プロセッサ構成要素
1852  バス
1854  無線トランシーバ構成要素
1856  メモリデバイス/構成要素
1902  電気的構成要素
1904  電気的構成要素
1906  電気的構成要素
1950  プロセッサ構成要素
1952  バス
1954  無線トランシーバ構成要素
1956  メモリデバイス/構成要素
2000  装置
2002  電気的構成要素
2004  電気的構成要素
2006  電気的構成要素
2050  プロセッサ構成要素
2052  バス
2054  無線トランシーバ構成要素
2056  メモリデバイス/構成要素
2200  装置
2202  電気的構成要素
2204  電気的構成要素
2206  電気的構成要素
2250  プロセッサ構成要素
2252  バス
2254  無線トランシーバ構成要素
2256  メモリデバイス/構成要素
【図１】
2015534358.tif 000007
【図２】
2015534358.tif 000008
【図３】
2015534358.tif 000009
【図４】
2015534358.tif 000010
【図５】
2015534358.tif 000011
【図６】
2015534358.tif 000012
【図７Ａ】
2015534358.tif 000013
【図７Ｂ】
2015534358.tif 000014
【図８Ａ】
2015534358.tif 000015
【図８Ｂ】
2015534358.tif 000016
【図９Ａ】
2015534358.tif 000017
【図９Ｂ】
2015534358.tif 000018
【図１０Ａ】
2015534358.tif 000019
【図１０Ｂ】
2015534358.tif 000020
【図１１】
2015534358.tif 000021
【図１２】
2015534358.tif 000022
【図１３】
2015534358.tif 000023
【図１４】
2015534358.tif 000024
【図１５】
2015534358.tif 000025
【図１６】
2015534358.tif 000026
【図１７】
2015534358.tif 000027
【図１８】
2015534358.tif 000028
【図１９】
2015534358.tif 000029
【図２０】
2015534358.tif 000030
【図２１】
2015534358.tif 000031
【図２２】
2015534358.tif 000032
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
ワイヤレス通信ネットワークのスモールセルによって、複数のスモールセルの1組のワイヤレス信号測定値を決定するステップと、
前記測定値に基づいて前記複数のスモールセルのカバレージエリア内のパイロットセル汚染を検出するステップと、
前記パイロットセル汚染を低減するために、前記複数のスモールセルのうちの少なくとも1つの少なくとも1つの送信パラメータの調整を決定するステップと、
前記複数のスモールセルのうちの前記少なくとも1つに前記調整を送信するステップと
を含み、前記1組のワイヤレス信号測定値を決定する前記ステップが、少なくとも移動局から測定報告メッセージを受信するステップを含む
方法。
【請求項２】
前記調整を決定する前記ステップが、前記1組の測定値に基づいて閾値未満の信号電力差を有する少なくとも2つのスモールセル間の重なりのエリアを最小にするステップを含む、請求項1に記載の方法。
【請求項３】
前記調整を決定する前記ステップが、前記1組の測定値に基づいて少なくとも2つのスモールセルに関連付けられた位置における信号対干渉および雑音比を最大にするステップを含む、請求項1に記載の方法。
【請求項４】
前記調整を決定する前記ステップが、前記1組の測定値に基づいて閾値信号レベル内の少なくとも2つのパイロット信号に関連付けられたエリアを最小にするステップを含む、請求項1に記載の方法。
【請求項５】
前記調整を決定する前記ステップが、前記1組の測定値に基づいて前記スモールセルのうちの少なくとも2つにトラフィック負荷を分配するステップを含む、請求項1に記載の方法。
【請求項６】
前記調整を決定する前記ステップが、前記1組の測定値に基づいて経路をカバーするスモールセルの数を最小にするステップを含む、請求項1に記載の方法。
【請求項７】
前記方法が一定の間隔で実行され、送信電力の前記調整を決定する前記ステップが前記一定の間隔に基づいて更新される、請求項6に記載の方法。
【請求項８】
前記経路が、通りを含む道路を含み、前記通りが、車両のユーザまたはモバイルユーザに関連付けられる、請求項6に記載の方法。
【請求項９】
前記調整を決定する前記ステップが、フェムトセルを含むネットワークエンティティによって実行される、請求項1に記載の方法。
【請求項１０】
前記調整を決定する前記ステップが、数値的な手順または反復的な手順のうちの少なくとも1つに基づく、請求項1に記載の方法。
【請求項１１】
前記調整を決定する前記ステップが、信号品質制約または送信電力レベル制約のうちの少なくとも1つに基づいて決定するステップをさらに含む、請求項1に記載の方法。
【請求項１２】
前記調整を決定する前記ステップが、電力、周波数、または時間を含むリソースを決定するステップをさらに含む、請求項1に記載の方法。
【請求項１３】
前記1組の測定値を決定する前記ステップが、フェムトセルにおける前記複数のスモールセルの測定値を決定するステップ、アイドルユーザ登録から測定値を決定するステップ、アクティブユーザハンドオーバから測定値を決定するステップ、ハンドオーバ履歴情報から測定値を決定するステップのうちの少なくとも1つを含む、請求項1に記載の方法。
【請求項１４】
前記1組の測定値が、PL、RSSI、またはEcp/Ioを含む無線周波数情報を含む、請求項1に記載の方法。
【請求項１５】
複数のスモールセルの1組のワイヤレス信号測定値を決定し、前記測定値に基づいて前記複数のスモールセルのカバレージエリア内のパイロットセル汚染を検出し、前記パイロットセル汚染を低減するために、前記複数のスモールセルのうちの少なくとも1つの少なくとも1つの送信パラメータの調整を決定し、前記複数のスモールセルのうちの前記少なくとも1つに前記調整を送信するために構成された少なくとも1つのプロセッサであり、前記1組のワイヤレス信号測定値を決定することが、少なくとも移動局から測定報告メッセージを受信することを含む、少なくとも1つのプロセッサと、
データを記憶するための前記少なくとも1つのプロセッサに結合されたメモリと
を含むワイヤレス通信装置。
【請求項１６】
前記プロセッサが、さらに、少なくとも部分的に、前記1組の測定値に基づいて閾値未満の信号電力差を有する少なくとも2つのスモールセル間の重なりのエリアを最小にすることによって、前記調整を決定するために構成される、請求項15に記載の装置。
【請求項１７】
前記プロセッサが、さらに、少なくとも部分的に、前記1組の測定値に基づいて少なくとも2つのスモールセルに関連付けられた位置における信号対干渉および雑音比を最大にすることによって、前記調整を決定するために構成される、請求項15に記載の装置。
【請求項１８】
前記プロセッサが、さらに、少なくとも部分的に、前記1組の測定値に基づいて閾値信号レベル内の少なくとも2つのパイロット信号に関連付けられたエリアを最小にすることによって、前記調整を決定するために構成される、請求項15に記載の装置。
【請求項１９】
前記プロセッサが、さらに、少なくとも部分的に、前記1組の測定値に基づいて前記スモールセルのうちの少なくとも2つにトラフィック負荷を分配することによって、前記調整を決定するために構成される、請求項15に記載の装置。
【請求項２０】
前記プロセッサが、さらに、少なくとも部分的に、前記1組の測定値に基づいて経路をカバーするスモールセルの数を最小にすることによって、前記調整を決定するために構成される、請求項15に記載の装置。
【請求項２１】
前記プロセッサが、さらに、送信電力の前記調整を決定するステップを定期的に実行するために構成される、請求項15に記載の装置。
【請求項２２】
前記プロセッサが、さらに、数値的な手順または反復的な手順のうちの少なくとも1つに基づいて前記調整を決定するために構成される、請求項15に記載の装置。
【請求項２３】
前記プロセッサが、さらに、信号品質制約または送信電力レベル制約のうちの少なくとも1つに基づいて前記調整を決定するために構成される、請求項15に記載の装置。
【請求項２４】
前記プロセッサが、さらに、少なくとも部分的に、電力、周波数、または時間を含むリソースを決定することによって、前記調整を決定するために構成される、請求項15に記載の装置。
【請求項２５】
前記プロセッサが、さらに、少なくとも部分的に、フェムトセルにおける前記複数のスモールセルの測定値を決定すること、アイドルユーザ登録から測定値を決定すること、アクティブユーザハンドオーバから測定値を決定すること、ハンドオーバ履歴情報から測定値を決定することのうちの少なくとも1つによって、前記1組の測定値を決定するために構成される、請求項15に記載の装置。
【請求項２６】
前記プロセッサが、さらに、PL、RSSI、またはEcp/Ioを含む無線周波数情報を含む前記1組の測定値を決定するために構成される、請求項15に記載の装置。
【請求項２７】
ワイヤレス通信ネットワークのスモールセルによって、複数のスモールセルの1組のワイヤレス信号測定値を決定するための手段と、
前記測定値に基づいて前記複数のスモールセルのカバレージエリア内のパイロットセル汚染を検出するための手段と、
前記パイロットセル汚染を低減するために、前記複数のスモールセルのうちの少なくとも1つの少なくとも1つの送信パラメータの調整を決定するための手段と、
前記複数のスモールセルのうちの前記少なくとも1つに前記調整を送信するための手段と
を含み、前記1組のワイヤレス信号測定値を決定するための前記手段が、少なくとも移動局から測定報告メッセージを受信する手段を含む
ワイヤレス通信装置。
【請求項２８】
少なくとも1つのコンピュータに、
複数のスモールセルの1組のワイヤレス信号測定値を決定させ、
前記測定値に基づいて前記複数のスモールセルのカバレージエリア内のパイロットセル汚染を識別させ、
前記パイロットセル汚染を低減するために、前記複数のスモールセルのうちの少なくとも1つの少なくとも1つの送信パラメータの調整を決定させ、
前記複数のスモールセルのうちの前記少なくとも1つに前記調整を送信させる
ためのコードを含む非一時的コンピュータ可読媒体
を含み、前記1組のワイヤレス信号測定値を決定するステップが、少なくとも移動局から測定報告メッセージを受信するステップを含む
コンピュータプログラム製品。
【国際調査報告】
2015534358.tif 000033
2015534358.tif 000034
2015534358.tif 000035